(57)【特許請求の範囲】
【請求項１】
アナログ信号にこのアナログ信号とは異なる周波数に変調したデジタル信号を重畳したハイブリッド通信信号を出力するフィールド機器から前記ハイブリッド通信信号を入力して信号処理を行う信号処理装置であって、
前記デジタル信号の波形を検出する波形検出部と、
前記ハイブリッド通信信号のうちの低周波成分を抽出してアナログ信号とするアナログ信号抽出部と、
前記デジタル信号の波形検出開始時および波形検出終了時に、前記デジタル信号による前記アナログ信号の波形変化を補正する補正処理部と、
前記デジタル信号の波形検出開始時および波形検出終了時に前記ハイブリッド通信信号に重畳される波形のうち、前記アナログ信号抽出部により抽出される低周波成分に対応する波形を、前記デジタル信号の波形検出開始時および波形検出終了時をそれぞれ基点とする波形として予め記憶する補正データ記憶部と、
を備え、
前記補正処理部は、前記デジタル信号の波形検出開始時および波形検出終了時に、前記補正データ記憶部に記憶された前記波形を前記アナログ信号の波形から差し引くことを特徴とする信号処理装置。
【請求項２】
前記ハイブリッド通信信号をデジタル化するＡＤ変換部が変換した前記ハイブリッド通信信号からアナログ信号の成分を抽出して前記補正処理部に入力させる前記アナログ信号抽出部と、
前記ＡＤ変換部が変換した前記ハイブリッド通信信号から前記フィールド機器が変調した周波数のデジタル信号を抽出するデジタル信号抽出部と、
抽出された前記デジタル信号を元の周波数に復調する復調処理部と、
を備え、
前記波形検出部は、前記デジタル信号の波形開始および波形終了を検出したことを前記復調処理部および前記補正処理部に出力すること
を特徴とする請求項１記載の信号処理装置。
【請求項３】
前記デジタル信号の振幅を複数のレベルに分けた振幅レベルを検出する振幅レベル検出部と、
各振幅レベルに対応して前記波形変化を補正するための補正データを記憶している前記補正データ記憶部と、
を備え、
前記補正処理部は、前記振幅レベル検出部が検出した振幅レベルに対応した補正データに基づいて前記波形変化を補正すること
を特徴とする請求項２記載の信号処理装置。
【請求項４】
前記補正データは前記アナログ信号抽出部の遅延時間の分だけ前記アナログ信号の波形変化を補正するデータであること
を特徴とする請求項３記載の信号処理装置。
【請求項５】
前記補正処理部は、前記補正データ記憶部から読み出された最初の補正データを保存し、２回目以降に前記波形変化を補正するときには保存した前記最初の補正データに基づいて前記波形変化を補正すること
を特徴とする請求項３記載の信号処理装置。
【請求項６】
前記信号処理装置と前記フィールド機器とは１対１で対応して設けられていること
を特徴とする請求項５記載の信号処理装置。
【請求項７】
請求項１乃至６の何れか１項に記載の信号処理装置を備えたこと
を特徴とするフィールド機器を用いた通信システム。
【発明の詳細な説明】
【技術分野】
【０００１】
本発明は、フィールド機器から入力したハイブリッド通信信号の信号処理を行う信号処理装置およびフィールド機器を用いた通信システムに関するものである。
【背景技術】
【０００２】
フィールド機器は石油化学や上下水道、製鉄等に配置され、温度や圧力、液位、流量等といった物理量をプロセス値として検出している。そして、検出したプロセス値（アナログプロセス値）をアナログ信号として、離れた場所に配置している装置（信号処理装置）に出力を行っている。この種のフィールド機器としては、例えば圧力・差圧電送器、流量計、温度計、バルブポジショナ等がある。
【０００３】
図６はフィールド機器を用いた通信システムの一例を示しており、フィールド機器１０１と信号処理装置１０２と上位システム１０３とを備えて構成している。フィールド機器１０１は４〜２０ミリアンペアや１〜５ボルト等のアナログプロセス値（アナログ信号）として生成している。また、フィールド機器１０１は機器の固体情報を示すタグ情報や状態を示すステータス情報等をデジタルプロセス値（デジタル信号）として生成している。
【０００４】
フィールド機器１０１はデジタル信号をアナログ信号よりも高い周波数で変調し、アナログ信号にデジタル信号を重畳してハイブリッド通信信号として出力している。これにより、アナログプロセス値とデジタルプロセス値とを一括して信号処理装置１０２に出力している。
【０００５】
信号処理装置１０２は外部端子１１１とアナログローパスフィルタ（以下、ＡＬＰＦ）１１２とＡＤ変換部１１３とアナログプロセス値出力部（図中ではＰＶ値出力部）１１４とアナログバンドパスフィルタ（以下、ＡＢＰＦ）１１５と復調器１１６とデジタルプロセス値出力部（図中ではＤＰＶ値出力部）１１７とを備えて構成している。外部端子１１１はハイブリッド通信信号をフィールド機器１０１から入力する。
【０００６】
ＡＬＰＦ１１２はアナログのハイブリッド通信信号の中から低周波の成分（直流成分のアナログ量）を抽出する。この抽出した低周波成分の信号はフィールド機器１０１のアナログ信号になる。このアナログ信号をＡＤ変換部１１３がデジタルデータに変換してアナログプロセス値としている。そして、アナログプロセス値出力部１１４が上位システム１０３にアナログプロセス値を出力している。
【０００７】
ＡＢＰＦ１１５はアナログのハイブリッド通信信号の中から所定周波数帯域（ＡＬＰＦ１１２より高い周波数帯域）の成分を抽出する。ＡＢＰＦ１１５が抽出する成分をフィールド機器１０１が変調したデジタル信号の周波数とすることで、変調されたデジタル信号が抽出される。復調器１１６はこのデジタル信号を元の周波数に復調する。復調した信号はデジタルプロセス値であり、これをデジタルプロセス値出力部１１７が上位システム１０３に出力する。
【０００８】
以上により、フィールド機器１０１が出力したハイブリッド通信信号を信号処理装置１０２が信号処理を行うことで、アナログプロセス値およびデジタルプロセス値を生成し、上位システム１０３に出力することができる。この種の技術としては、例えば特許文献１に開示されている技術がある。
【先行技術文献】
【特許文献】
【０００９】
【特許文献１】特開２００６−３３６５１号公報
【発明の概要】
【発明が解決しようとする課題】
【００１０】
フィールド機器１０１が出力するハイブリッド通信信号はアナログ信号にデジタル信号を重畳した信号である。このうちデジタル信号にはアナログの直流成分（ＤＣ成分）が含まれており、これが要因でアナログ信号の波形に影響を与える。図７（ａ）および（ｂ）はそれぞれ信号処理装置２におけるハイブリッド通信信号の波形およびアナログ信号の波形を示している。
【００１１】
同図（ａ）および（ｂ）に示されるように、ハイブリッド通信信号の波形開始時および波形終了時にアナログ信号に波形変化を生じている。これは、アナログ信号のハイ（Ｈｉｇｈ）とロー（Ｌｏｗ）とにアンバランスを生じること等を主要因とするものである。この波形変化がノイズとなり、アナログプロセス値出力部１１４が出力するアナログプロセス値に誤差（フィールド機器１０１が検出した物理量に対する誤差）を生じる。よって、アナログプロセス値は正確な値ではなくなる。
【００１２】
従って、デジタル信号がアナログ信号に与える影響を排除するようにしなければならない。これに対し、ＡＬＰＦ１１２のフィルタリング処理の時定数を大きくすることにより、デジタル信号の影響を抑制することはできる。ただし、時定数を大きくすると、フィルタリング処理に非常に長い時間を要し、全体の処理時間が長時間化する。
【００１３】
そこで、本発明は、正確且つ高速にハイブリッド通信信号の信号処理を行うことを目的とする。
【課題を解決するための手段】
【００１４】
以上の課題を解決するため、本発明の第１の信号処理装置は、アナログ信号にこのアナログ信号とは異なる周波数に変調したデジタル信号を重畳したハイブリッド通信信号を出力するフィールド機器から前記ハイブリッド通信信号を入力して信号処理を行う信号処理装置であって、前記デジタル信号の波形を検出する波形検出部と、前記ハイブリッド通信信号のうちの低周波成分を抽出してアナログ信号とするアナログ信号抽出部と、前記デジタル信号の波形検出開始時および波形検出終了時に、前記デジタル信号による前記アナログ信号の波形変化を補正する補正処理部と、前記デジタル信号の波形検出開始時および波形検出終了時に前記ハイブリッド通信信号に重畳される波形のうち、前記アナログ信号抽出部により抽出される低周波成分に対応する波形を、前記デジタル信号の波形検出開始時および波形検出終了時をそれぞれ基点とする波形として予め記憶する補正データ記憶部と、を備え、前記補正処理部は、前記デジタル信号の波形検出開始時および波形検出終了時に、前記補正データ記憶部に記憶された前記波形を前記アナログ信号の波形から差し引くことを特徴とする。
【００１５】
この信号処理装置によれば、デジタル信号の波形検出開始時および波形検出終了時にアナログ信号の波形変化を補正している。これにより、デジタル信号がアナログ信号に与える影響を抑制することができ、フィルタリング処理に格別の処理を要求することなく、正確且つ高速に信号処理を行うことができる。
【００１６】
本発明の第２の信号処理装置は、第１の信号処理装置であって、前記ハイブリッド通信信号をデジタル化するＡＤ変換部が変換した前記ハイブリッド通信信号からアナログ信号の成分を抽出して前記補正処理部に入力させる前記アナログ信号抽出部と、前記ＡＤ変換部が変換した前記ハイブリッド通信信号から前記フィールド機器が変調した周波数のデジタル信号を抽出するデジタル信号抽出部と、抽出された前記デジタル信号を元の周波数に復調する復調処理部と、を備え、前記波形検出部は、前記デジタル信号の波形開始および波形終了を検出したことを前記復調処理部および前記補正処理部に出力することを特徴とする。
【００１７】
この信号処理装置によれば、波形検出部はデジタル信号の波形開始および波形終了を復調処理部に出力すると共に、補正処理部に対しても出力している。これをトリガとして、補正処理部はアナログ信号の波形変化の補正を行うタイミングを認識することができる。
【００１８】
本発明の第３の信号処理装置は、第２の信号処理装置であって、前記デジタル信号の振幅を複数のレベルに分けた振幅レベルを検出する振幅レベル検出部と、各振幅レベルに対応して前記波形変化を補正するための補正データを記憶している前記補正データ記憶部と、を備え、前記補正処理部は、前記振幅レベル検出部が検出した振幅レベルに対応した補正データに基づいて前記波形変化を補正することを特徴とする。
【００１９】
この信号処理装置によれば、各振幅レベルに応じて補正データを予め固定的に設けている。これにより、検出した振幅レベルに応じた補正データを読み出すだけで、当該補正データを用いて補正処理を行うことができ、簡単且つ高速に補正処理を行うことが可能になる。
【００２０】
本発明の第４の信号処理装置は、第３の信号処理装置であって、前記補正データは前記アナログ信号抽出部の遅延時間の分だけ前記アナログ信号の波形変化を補正するデータであることを特徴とする。
【００２１】
この信号処理装置によれば、補正データの時間をアナログ信号抽出部の遅延時間にしている。アナログ信号に波形変化を生じるのは、アナログ信号抽出部の遅延時間とほぼ等しくなるため、補正データの時間をこの遅延時間とすることで、補正処理の時間を必要最小限とすることができるようになる。
【００２２】
本発明の第５の信号処理装置は、第３の信号処理装置であって、前記補正処理部は、前記補正データ記憶部から読み出された最初の補正データを保存し、２回目以降に前記波形変化を補正するときには保存した前記最初の補正データに基づいて前記波形変化を補正することを特徴とする。
【００２３】
この信号処理装置によれば、常に同じ補正データを用いて補正処理を行っている。ハイブリッド通信波形は繰り返し入力されることから、各回で同じ補正データを用いて補正処理を行うことで、各回で異なる補正データを読み出す必要がなくなり、簡単且つ高速に補正処理を行うことができるようになる。
【００２４】
本発明の第６の信号処理装置は、第５の信号処理装置であって、前記信号処理装置と前記フィールド機器とは１対１で対応して設けられていることを特徴とする。
【００２５】
この信号処理装置によれば、フィールド機器と信号処理装置とを１対１で設けていることから、各回で同じようなハイブリッド通信波形が入力される。これにより、保存した１つの補正データを各回で用いたとしても、正確な補正処理を行うことが可能になる。
【００２６】
本発明の第７のフィールド機器を用いた通信システムは、第１乃至第６の何れかの信号処理装置を備えたことを特徴とする。
【発明の効果】
【００２７】
本発明は、ハイブリッド通信信号の波形の開始時および終了時を検出して、これらのときにアナログ信号に生じる波形変化を補正処理部が補正を行うことで、デジタル信号の直流成分の影響を抑制でき、正確なアナログプロセス値を高速に出力することができる。
【図面の簡単な説明】
【００２８】
【図１】信号処理装置の構成を示すブロック図である。
【図２】処理の流れを示すタイムチャートである。
【図３】ＤＬＰＦおよびＤＢＰＦの出力波形を示す図である。
【図４】補正データおよびＤＬＰＦの出力波形を示す図である。
【図５】変形例の信号処理装置の構成を示すブロック図である。
【図６】従来の信号処理装置の構成を示すブロック図である。
【図７】ＡＬＰＦおよびＡＢＰＦの出力波形を示す図である。
【発明を実施するための形態】
【００２９】
以下、図面を参照して本発明の実施形態について説明する。図１はフィールド機器を用いた通信システムの一例を示しており、この通信システムはフィールド機器１と信号処理装置２と上位システム３とを備えて構成している。
【００３０】
フィールド機器１は石油化学や上下水道、製鉄等に配置され、温度や圧力、液位、流量等といった物理量をプロセス値（アナログプロセス値）として検出している。フィールド機器１は、検出したアナログプロセス値を４〜２０ミリアンペア、或いは１〜５ボルトといったアナログ信号として生成している。また、フィールド機器１０１は機器の固体情報を示すタグ情報や状態を示すステータス情報等のデジタルプロセス値をデジタル信号（ハイブリッド信号）として生成している。
【００３１】
アナログ信号は低周波の信号（例えば、２５Ｈｚ以下）になっている。また、フィールド機器１はアナログ信号よりも高い周波数（例えば、５００Ｈｚ〜２．５ＫＨｚ程度）でデジタル信号を変調している。そして、アナログ信号にデジタル信号を重畳してハイブリッド通信信号としており、このハイブリッド通信信号をフィールド機器１と離れた場所に配置した信号処理装置２に出力している。
【００３２】
信号処理装置２はハイブリッド通信信号に対して所定の処理を行う装置である。この信号処理装置２は、外部端子１１とＡＤ変換部１２とデジタルローパスフィルタ（以下、ＤＬＰＦ）１３とアナログプロセス値出力部（図では「ＰＶ値出力部」）１４とデジタルバンドパスフィルタ（以下、ＤＢＰＦ）１５と復調器１６とデジタルプロセス値出力部（図では「ＤＰＶ値出力部」）１７と補正部１８とを備えて構成している。
【００３３】
外部端子１１はフィールド機器１から出力されたハイブリッド通信信号を入力する。ＡＤ変換部１２はハイブリッド通信信号をアナログデータからデジタルデータに変換して、デジタルデータのハイブリッド通信信号（デジタルハイブリッド通信信号）を生成する。ハイブリッド通信信号をデジタル化することで、信号処理装置２の内部で処理可能なデータ形式としている。ＡＤ変換部１２はハイブリッド通信信号の変換処理を高速（デジタル信号を復調できる程度の速度）に行う。このために、ＡＤ変換部１２は、例えばΔΣ変調等を用いて変換を行う。
【００３４】
ＤＬＰＦ１３はデジタルハイブリッド通信信号を入力して、この信号の中から低周波成分の信号（アナログ信号）を抽出するアナログ信号抽出部である。抽出されたアナログ信号もデジタルデータになっている。ＤＬＰＦ１３が抽出する周波数帯域はフィールド機器１のアナログ信号の周波数（２５Ｈｚ以下）と一致させることで、フィールド機器１のアナログ信号を得ることができる。
【００３５】
ＤＬＰＦ１３が抽出したアナログ信号は補正部１８により所定の補正が行われて、アナログプロセス値出力部１４に入力される。アナログプロセス値出力部１４は入力したアナログ信号を温度や圧力等といったアナログプロセス値のデータとして上位システム３に出力する。
【００３６】
ＤＢＰＦ１５はハイブリッド通信信号の波形から所定周波数帯域の成分を抽出するデジタル信号抽出部である。抽出する周波数帯域はフィールド機器１がデジタル信号を変調した周波数帯域（５００Ｈｚ〜２．５ＫＨｚ程度）になる。これにより、デジタルハイブリッド通信信号の中から変調後のデジタル信号がデジタルデータとして抽出される。
【００３７】
復調器１６は抽出されたデジタル信号の周波数を元の周波数に復調する（つまりフィールド機器１が変調した周波数を元に戻す）。復調器１６は復調処理部２１と波形検出部２２と振幅レベル検出部２３とを備えており、復調処理部２１がデジタル信号の周波数の復調を行う。これにより、フィールド機器１が変調する前のデジタル信号が得られる。デジタルプロセス値出力部１７はデジタル信号をデジタルプロセス値として上位システム３に出力する。
【００３８】
波形検出部２２はＤＢＰＦ１５が出力するデジタル信号を入力しているか否かを検出している。このために、ＤＢＰＦ１５が出力するデジタル信号の振幅に基づいて、当該振幅が所定閾値を超過したときにデジタル信号が入力されたことを検出する。一方、所定閾値以下になったときにデジタル信号が入力されなくなったことを検出する。この閾値はデジタル信号の波形を検出するか否かの値として適宜に設定できる。
【００３９】
これにより、波形検出部２２はデジタル信号の入力開始および入力終了を検出する。そして、デジタル信号の入力開始時には復調開始信号を復調処理部２１に出力する。この復調開始信号により復調処理部２１は復調処理を開始する。また、デジタル信号の入力終了時には復調終了信号を復調処理部２１に出力する。この復調終了信号により復調処理部２１は復調処理を終了する。つまり、波形検出部２２は復調処理部２１の復調処理開始および終了の制御を行っている。
【００４０】
振幅レベル検出部２３はデジタル信号の振幅（最大振幅）を検出する。このとき、振幅の値を振幅レベルとして検出する。振幅レベルは振幅の値そのものではなく、振幅方向に複数段にレベル分けしたものになっている。従って、振幅レベルのレベル数を多くするほど振幅レベルは実際の振幅に近いものになる。ただし、振幅レベル（分解能）を大きくするほど情報量が多くなるため、分解能と情報量とに応じて適宜に振幅レベルを設定する。
【００４１】
ここでは、振幅レベルは５段階のレベル数としているが、２〜４段階、或いは６段階以上とするものであってもよい。振幅レベルは複数ビットの振幅レベル信号として出力される。ここでは、５段階であるため、振幅レベル信号は５通りを表現するために、３ビットの信号になる。
【００４２】
補正部１８はＤＬＰＦ１３が出力するアナログ信号の補正を行う。この補正部１８は補正データ出力部３１と補正データ記憶部３２と補正処理部３３とを備えて構成している。補正データ出力部３１は振幅レベル検出部２３から振幅レベル信号を入力しており、入力した振幅レベル信号に応じた補正データを補正データ記憶部３２から読み出す。
【００４３】
補正データ記憶部３２は振幅レベル信号の全てのパターンについて（ここでは、５通り）補正データを記憶している。補正データはＤＬＰＦ１３が出力したアナログ信号の波形を所定の期間だけ振幅方向に補正する波形のデータになる。各補正データは振幅レベル信号に対応して固定的に設けられており、補正データ記憶部３２から読み出すだけで補正データを得ることができる。
【００４４】
補正データ出力部３１は波形検出部２２から復調開始信号および復調終了信号を入力しており、これらの信号を入力したときに補正処理部３３に補正データを出力する。つまり、復調処理部２１が復調処理を開始したときおよび終了したとき（つまり、デジタル信号の波形検出開始時および終了時）に補正処理部３３が補正処理を行う。
【００４５】
なお、ここでは、補正データ出力部３１と補正処理部３３とを別個の要素として設けたが、補正処理部３３に補正データ出力部３１の機能を持たせてもよい。つまり、補正処理部３３が復調開始信号および復調終了信号を入力して、補正データ記憶部３２から補正データを読み出すようにしてもよい。
【００４６】
次に、動作について説明する。図２は信号処理装置２の各部のタイムチャートを示している。まず、フィールド機器１はデジタル信号の変調を行い、変調後のデジタル信号をアナログ信号に重畳したハイブリッド通信信号を出力する。このハイブリッド通信信号は信号処理装置２の外部端子１１に入力される。
【００４７】
このときの外部端子１１の入力波形を図中の「外部端子」で示している。この図に示すように、外部端子１１は所定の期間（１００ｍｓ〜数秒程度）Ｔの間にハイブリッド通信信号を入力し、それ以外の期間では信号入力を行っていない。フィールド機器１は繰り返しハイブリッド通信信号を出力するため、再びハイブリッド通信信号が入力されるようになる。そして、ハイブリッド通信信号はＡＤ変換部１２により高速にデジタルハイブリッド通信信号に変換される。
【００４８】
ＤＬＰＦ１３はデジタルハイブリッド通信信号からアナログ信号の成分を抽出する。抽出したアナログ信号は補正部１８により補正処理がされた後に、アナログプロセス値出力部１４がアナログプロセス値として上位システム３に出力する。上位システム３は入力したアナログプロセス値に対して所定の処理或いは活用を図る。
【００４９】
ＤＢＰＦ１５はデジタルハイブリッド通信信号からデジタル信号の成分を抽出する。波形検出部２２はＤＢＰＦ１５が出力する復調前のデジタル信号の波形を検出しており、この波形が所定閾値を超過したときに、復調開始信号を復調処理部２１に出力する。これにより、復調処理部２１は復調処理を開始する。
【００５０】
図２の「復調器の処理」に示されるように、「波形検出なし」になっている期間は格別の処理を行わず、「波形検出あり」になっている期間は復調処理を行う。また、ＤＢＰＦ１５が出力する波形の振幅が所定閾値以下になったときに、復調終了信号が出力される。これにより、デジタル信号の復調処理が終了する。このときには、波形が検出されなくなっており、同図の「復調器の処理」に示すように「波形検出なし」になっている。
【００５１】
復調処理部２１が復調処理を行ったデジタル信号は元の周波数に復調されている。この復調されたデジタル信号はデジタルプロセス値になる。デジタルプロセス値出力部１７はこのデジタルプロセス値を上位システム３に出力する。そして、上位システム３は所定の処理或いは活用を図る。
【００５２】
波形検出部２２は復調開始信号および復調終了信号を補正データ出力部３１に対しても出力している。そして、復調開始信号および復調終了信号をトリガとして、補正データを補正処理部３３に出力し、これにより補正処理部３３は補正処理を行う。このとき、振幅レベル検出部２３は振幅レベル信号を補正データ出力部３１に出力しており、振幅レベル信号に応じた補正データを補正データ記憶部３２から読み出して、補正処理部３３に出力している。これにより、補正処理部３３はアナログ信号に対して補正データの補正処理を行う。
【００５３】
図２の「補正データ」に示すように、補正データは所定の時間だけ振幅方向に変化させている波形のデータになっている。そして、デジタル信号の波形開始時および波形終了時に、デジタル信号を要因として生じるアナログ信号の波形変化を擬似的に再現した波形になっている。
【００５４】
ＤＬＰＦ１３が出力するアナログ波形には、デジタル信号の直流成分の影響により、波形変化を生じる。そして、波形変化を生じるのは、波形の開始時および終了時（つまり、デジタルハイブリッド通信信号、デジタル信号、アナログ信号の波形開始時および波形終了時）になる。これは、波形開始時および波形終了時にハイ（Ｈｉｇｈ）とロー（Ｌｏｗ）とがアンバランスになるためであり、このアンバランスは所定時間後に安定する。
【００５５】
図２の「アナログ信号」に示すように、波形開始時および波形終了時にアナログ信号は振幅方向に波形変化を生じている。このときのアナログ信号を擬似的に再現したのが補正データになる。ただし、補正データは所定のレベル数（分解能）で分けられているため、分解能によっては再現性が粗くなる。なお、分解能を高くすることにより、波形変化の再現性が高くなるが、情報量が多くなるため、再現性と情報量とに基づいて適宜に分解能を設定する。
【００５６】
アナログ信号および補正データは波形開始時および波形終了時から所定の時間だけ変化を生じている。この変化を生じている時間はＤＬＰＦ１３の遅延時間（処理時間）に相当する。よって、補正データとしては、ＤＬＰＦ１３の遅延時間（Ｔ１とする）の分だけ振幅方向に変化させる波形のデータとする。図中に示すように、アナログ信号の波形は最初に急激に立ち上がって（または立ち下がって）、徐々に立ち下がる（または立ち上がる）波形になっており、補正データもこれを再現する波形のデータとする。
【００５７】
補正データ出力部３１は振幅レベル信号が示す補正データを補正データ記憶部３２から読み出す。補正データ記憶部３２には補正をするための波形を示す波形データが固定的に記憶されているため、対応する補正データを読み出すだけで、アナログ信号を補正するデータを得ることができる。このため、格別に複雑な回路を設けることなく、簡単且つ高速に補正データを得ることができる。
【００５８】
補正処理部３３はＤＬＰＦ１３からアナログ信号を入力しており、且つ補正データ出力部３１から補正データを入力している。そして、デジタルデータのアナログ信号に対して補正データを減算（或いは負数を加算）することで、補正処理を行う。このとき、補正処理部３３はアナログ信号と補正データとの始点を一致させる必要があることから、タイミングが異なる場合には、何れか一方を遅延させる。ここでは、復調処理部２１が処理する復調遅延時間Ｔ２の分だけ遅延させている。
【００５９】
補正データはアナログ信号に生じる波形変化を擬似的に再現した波形になっていることから、両者を減算（或いは補正データの負数を加算）する処理を行うことで、アナログ信号に生じている波形変化を相殺するように低減することができる。これにより、図２の「補正後の波形」に示すように、補正部１８が出力するアナログ信号は、デジタル信号の直流成分の影響を排除した安定した波形とすることができる。よって、誤差を低減したアナログプロセス値を上位システム３に出力することができる。
【００６０】
補正データはアナログ信号の波形変化を補正するためのデータになっており、アナログ信号に波形変化を生じる期間は復調開始信号および復調終了信号が出力されたときからＤＬＰＦ１３の遅延時間Ｔ１になる。このため、補正データは復調開始信号および復調終了信号から遅延時間Ｔ１の分だけにしており、それらの中間の期間は補正を行わないようにしている。これにより、補正処理を必要最小限に抑制することができ、処理負担の軽減および高速化を図ることができる。なお、中間の期間の補正量をゼロとした補正データを用いてアナログ信号を補正してもよい。
【００６１】
なお、補正処理部３３はアナログ信号が正の振幅方向に波形変化を生じるときには、補正データを負方向に補正するようにし、負の振幅方向に波形変化を生じるときには、補正データを正方向に補正するようにしている。図２では、最初と最後とで正負の逆方向に補正をしている状態を示している。
【００６２】
図３（ａ）はＤＬＰＦ１３が出力するアナログ信号の波形を示しており、同図（ｂ）はＤＢＰＦ１５が出力するデジタル信号の波形を示している。この図が示すように、デジタル信号の波形開始時および波形終了時にアナログ信号が大きく波形変化を示している。
【００６３】
そして、図４はＤＬＰＦ１３が出力するアナログ信号の波形に補正データを重ね合わせた状態を示している。同図において、太線は補正データの波形を示し、細線はアナログ信号の波形を示している。なお、補正データは所定のレベル数に分けられているが、ここでは補正データの波形を直線状に擬似化したものを示している。
【００６４】
同図に示すように、アナログ信号の波形の振幅中心と補正データの波形とはおおよそ同じような値になっている。よって、両者を減算（或いは負数を加算）することにより、アナログ信号の波形の振幅中心を安定させることができるようになる。これにより、デジタル信号の波形開始時および波形終了時に生じる波形変化の影響をほぼなくすることができるようになる。
【００６５】
以上説明したように、デジタル信号の開始時および終了時に、そのことを検出して補正データにより補正処理を行うことで、デジタル信号の直流成分の影響によるアナログ信号の波形変化を補正することができる。これにより、アナログ信号を安定した波形とすることができ、アナログプロセス値の誤差を低減することができる。また、ＤＬＰＦ１３の時定数を大きくすることもないことから、高速にアナログ信号の補正を行うことができるようになる。
【００６６】
次に、変形例について説明する。図５は変形例の構成を示しており、図１の構成に対して補正部１８の構成が異なる。本変形例では補正データ出力部３１の代わりに補正データ保存部３４を設けている。補正データ保存部３４は最初に補正データ記憶部３２から読み出した補正データを保存しており、２回目以降は全て保存した補正データを出力する。
【００６７】
フィールド機器１はハイブリッド通信信号を１回だけ出力するのではなく、繰り返して出力を行う。最初の１回目は前述した実施形態と同じ処理を行う。このときに、補正データ記憶部３２から読み出した補正データを補正データ保存部３４が保存する。
【００６８】
フィールド機器１が再びハイブリッド通信信号を信号処理装置２に出力したときには、波形検出部２２がデジタル信号を検出する。そして、復調開始信号を補正データ保存部３４に出力する。補正データ保存部３４は補正データ記憶部３２から補正データを読み出すのではなく、補正データ保存部３４に保存している補正データを補正処理部３３に出力する。
【００６９】
従って、補正処理部３３は全て同じ補正データを用いてアナログ信号の補正処理を行う。フィールド機器１と信号処理装置２とは１対１で設けられていることが多く、特定のフィールド機器１の信号処理は特定の信号処理装置２で行うようにしている。そして、フィールド機器１が出力するハイブリッド通信信号はほぼ同じような波形になっており、従って同じような波形変化の作用をアナログ信号に及ぼす。
【００７０】
よって、アナログ信号には常に同じような波形変化を生じ、１つの波形の補正データを用いて波形変化を低減することができる。従って、常に同じ補正データを用いることで、２回目以降の振幅レベルの検出は不要になる。これにより、ハイブリッド通信信号を入力する毎に補正データを補正データ記憶部３２から読み出す必要がなくなるため、より高速な処理が可能になる。
【００７１】
なお、ここでは、補正データ保存部３４と補正処理部３３とを別個の要素として設けたが、補正処理部３３に補正データ保存部３４の機能を持たせてもよい。つまり、補正処理部３３が最初に使用された補正データを保存しておき、２回目以降は自身が保存した補正データを用いて補正処理を行うようにしてもよい。
【符号の説明】
【００７２】
１    フィールド機器
２    信号処理装置
３    上位システム
１１    外部端子
１２    変換部
１３    ＤＬＰＦ
１５    ＤＢＰＦ
１６    復調器
１８    補正部
２１    復調処理部
２２    波形検出部
２３    振幅レベル検出部
３１    補正データ出力部
３２    補正データ記憶部
３３    補正処理部
３４    補正データ保存部
【図１】
0005467526.tif 000002
【図２】
0005467526.tif 000003
【図３】
0005467526.tif 000004
【図４】
0005467526.tif 000005
【図５】
0005467526.tif 000006
【図６】
0005467526.tif 000007
【図７】
0005467526.tif 000008